【手続補正書】
【提出日】平成29年4月3日(2017.4.3)
【手続補正１】
【補正対象書類名】特許請求の範囲
【補正対象項目名】全文
【補正方法】変更
【補正の内容】
【特許請求の範囲】
【請求項１】
第1の周波数スペクトルを有する第1の主チャネルと第2の周波数スペクトルを有する第2の主チャネルとを含むワイヤレス通信システムにおける方法であって、前記第2の周波数スペクトルは、前記第1の周波数スペクトルを含み、前記方法は、
ワイヤレスデバイスにより、第1のバックオフ手順と第2のバックオフ手順とを少なくとも部分的に並列に実行するステップであって、前記第1のバックオフ手順と前記第2のバックオフ手順の各々は、前記第1の主チャネルまたは前記第2の主チャネルがそれぞれアイドルである個々の時間期間にわたって別々のカウンタを条件的に更新し、前記第1の主チャネルまたは前記第2の主チャネルがそれぞれビジーである個々の時間期間にわたって前記別々のカウンタを条件的にリセットし、前記第1のバックオフ手順と前記第2のバックオフ手順はそれぞれ、それぞれのカウンタがそれぞれの所定のしきい値に達したときに完了し、前記第1の主チャネルがアイドルでないとき、前記第2の主チャネルはアイドルでない、ステップと、
前記第1のバックオフ手順が前記第2のバックオフ手順の前に完了したことに応答して、ワイヤレスメッセージを前記第1の主チャネルで送信するステップと、
前記第2のバックオフ手順が前記第1のバックオフ手順の前に完了したことに応答して、前記ワイヤレスメッセージを前記第2の主チャネルで送信するステップと、
を含む方法。
【請求項２】
前記第2の周波数スペクトル内の周波数スペクトルを有する1つまたは複数の副チャネルが前記ワイヤレスメッセージの前記送信の前にPCFフレーム間間隔(PIFS)時間期間の間にアイドルであるかどうかを判定するステップをさらに含み、前記ワイヤレスメッセージの前記送信は、前記判定にさらに基づく、請求項1に記載の方法。
【請求項３】
送信を待っているデータの量がデータサイズしきい値未満である場合に、前記副チャネルを利用せずに前記ワイヤレスメッセージを送信するステップをさらに含む、請求項1に記載の方法。
【請求項４】
前記1つまたは複数の副チャネルは、2メガヘルツチャネル、4メガヘルツチャネル、および8メガヘルツチャネルを含む、請求項1に記載の方法。
【請求項５】
前記副チャネルが前記送信の前にPCFフレーム間間隔(PIFS)時間期間の間にアイドルであり、送信を待っているデータの前記量が前記データサイズしきい値を超える場合に、前記副チャネルのうち１つの上で前記ワイヤレスメッセージを送信するステップをさらに含む、請求項3に記載の方法。
【請求項６】
前記第1の主チャネルがアイドルであるかどうかを判定するステップをさらに含み、判定する前記ステップは、
プリアンブルが第1の時間期間中に前記第1の主チャネルで検出されたかどうかを判定するステップと、
ガードインターバルが第2の時間期間中に前記第1の主チャネルで検出されたかどうかを判定するステップと
を含む、請求項1に記載の方法。
【請求項７】
前記第1のバックオフ手順が前記第2のバックオフ手順の前に完了する場合に、前記第1の主チャネルで前記ワイヤレスメッセージを送信するステップをさらに含む、請求項1に記載の方法。
【請求項８】
前記第2のバックオフ手順がまず完了する場合に、前記第2の主チャネルで前記ワイヤレスメッセージを送信するステップをさらに含む、請求項7に記載の方法。
【請求項９】
前記第2の主チャネルがアイドルであるかどうかを判定するステップは、
第1のプリアンブルが第1のしきい時間期間中に前記第2の主チャネルで検出されたかどうかを判定するステップと、
第2のプリアンブルが第2のしきい時間期間中に前記第1の主チャネルで検出されたかどうかを判定するステップと、
ガードインターバルが第3のしきい時間期間中に前記第2の主チャネルで検出されたかどうかを判定するステップと、
前記第1のプリアンブル、前記第2のプリアンブル、および前記ガードインターバルの検出に少なくとも部分的に基づいて、前記第2の主チャネルがアイドルであるかどうかを判定するステップと
を含む、請求項1に記載の方法。
【請求項１０】
第1の周波数スペクトルを有する第1の主チャネルと第2の周波数スペクトルを有する第2の主チャネルとを含むワイヤレス通信システムにおける装置であって、前記第2の周波数スペクトルは、前記第1の周波数スペクトルを含み、前記装置は、
第1のバックオフ手順と第2のバックオフ手順とを少なくとも部分的に並列に実行するように構成されたハードウェアプロセッサであって、前記第1のバックオフ手順と前記第2のバックオフ手順の各々は、前記第1の主チャネルまたは前記第2の主チャネルがそれぞれアイドルである個々の時間期間にわたって別々のカウンタを条件的に更新し、前記第1の主チャネルまたは前記第2の主チャネルがそれぞれビジーである個々の時間期間にわたって前記別々のカウンタを条件的にリセットし、前記第1のバックオフ手順と前記第2のバックオフ手順はそれぞれ、それぞれのカウンタがそれぞれの所定のしきい値に達したときに完了し、前記第1の主チャネルがアイドルでないとき、前記第2の主チャネルはアイドルでない、ハードウェアプロセッサと、
前記第1のバックオフ手順が前記第2のバックオフ手順の前に完了したことに応答して、ワイヤレスメッセージを前記第1の主チャネルで送信し、前記第2のバックオフ手順が前記第1のバックオフ手順の前に完了したことに応答して、前記ワイヤレスメッセージを前記第2の主チャネルで送信するように構成された送信器と
を含む装置。
【請求項１１】
前記プロセッサは、前記第2の周波数スペクトル内の周波数スペクトルを有する1つまたは複数の副チャネルが前記ワイヤレスメッセージの前記送信の前にPCFフレーム間間隔(PIFS)時間期間の間にアイドルであるかどうかを判定するようにさらに構成され、
前記送信器は、前記判定にさらに基づいて前記ワイヤレスメッセージを送信するようにさらに構成される
請求項10に記載の装置。
【請求項１２】
前記送信器は、送信を待っているデータの量がデータサイズしきい値未満である場合に、前記ワイヤレスメッセージを送信するために前記副チャネルを利用しないようにさらに構成される、請求項10に記載の装置。
【請求項１３】
前記1つまたは複数の副チャネルは、2メガヘルツチャネル、4メガヘルツチャネル、および8メガヘルツチャネルを含む、請求項10に記載の装置。
【請求項１４】
前記送信器は、前記副チャネルが前記送信の前にPCFフレーム間間隔(PIFS)時間期間の間にアイドルであり、送信を待っているデータの前記量が前記データサイズしきい値を超える場合に、前記副チャネルのうち１つで前記ワイヤレスメッセージを送信するように構成される、請求項12に記載の装置。
【請求項１５】
前記ハードウェアプロセッサは、
プリアンブルが第1の時間期間中に前記第1の主チャネルで検出されたかどうかを判定することと、
ガードインターバルが第2の時間期間中に前記第1の主チャネルで検出されたかどうかを判定することと、
前記プリアンブルおよび前記ガードインターバルの検出に少なくとも部分的に基づいて前記第1の主チャネルがアイドルであるかどうかを判定することと
によって前記第1の主チャネルがアイドルであるかどうかを判定するように構成される、請求項10に記載の装置。
【請求項１６】
前記送信器は、前記第1のバックオフ手順が前記第2のバックオフ手順の前に完了する時に、前記第1の主チャネルで前記ワイヤレスメッセージを送信するように構成される、請求項10に記載の装置。
【請求項１７】
前記送信器は、前記第2のバックオフ手順が前記第1のバックオフ手順の前に完了する時に、前記第2の主チャネルで前記ワイヤレスメッセージを送信するように構成される、請求項16に記載の装置。
【請求項１８】
前記ハードウェアプロセッサは、
第1のプリアンブルが第1のしきい時間期間中に前記第2の主チャネルで検出されたかどうかを判定することと、
第2のプリアンブルが第2のしきい時間期間中に前記第1の主チャネルで検出されたかどうかを判定することと、
ガードインターバルが第3のしきい時間期間中に前記第2の主チャネルで検出されたかどうかを判定することと、
前記第1のプリアンブル、前記第2のプリアンブル、および前記ガードインターバルの検出に少なくとも部分的に基づいて、前記第2の主チャネルがアイドルであるかどうかを判定することと
によって、前記第2の主チャネルがアイドルであるかどうかを判定するように構成される、請求項10に記載の装置。
【請求項１９】
第1の周波数スペクトルを有する第1の主チャネルと第2の周波数スペクトルを有する第2の主チャネルとを含むワイヤレス通信システムにおける装置であって、前記第2の周波数スペクトルは、前記第1の周波数スペクトルを含み、前記装置は、
第1のバックオフ手順と第2のバックオフ手順とを少なくとも部分的に並列に実行するための手段であって、前記第1のバックオフ手順と前記第2のバックオフ手順の各々は、前記第1の主チャネルまたは前記第2の主チャネルがそれぞれアイドルである個々の時間期間にわたって別々のカウンタを条件的に更新し、前記第1の主チャネルまたは前記第2の主チャネルがそれぞれビジーである個々の時間期間にわたって前記別々のカウンタを条件的にリセットし、前記第1のバックオフ手順と前記第2のバックオフ手順はそれぞれ、それぞれのカウンタがそれぞれの所定のしきい値に達したときに完了し、前記第1の主チャネルがアイドルでないとき、前記第2の主チャネルはアイドルでない、実行するための手段と、
前記第1のバックオフ手順が前記第2のバックオフ手順の前に完了したことに応答して、ワイヤレスメッセージを前記第1の主チャネルで送信するための手段と、
前記第2のバックオフ手順が前記第1のバックオフ手順の前に完了したことに応答して、前記ワイヤレスメッセージを前記第2の主チャネルで送信するための手段と、
を含む装置。
【請求項２０】
前記第2の周波数スペクトル内の周波数スペクトルを有する1つまたは複数の副チャネルが前記ワイヤレスメッセージの前記送信の前にPCFフレーム間間隔(PIFS)時間期間の間にアイドルであるかどうかを判定するための手段をさらに含み、前記ワイヤレスメッセージを送信するための前記手段は、前記1つまたは複数の副チャネルが前記ワイヤレスメッセージの前記送信の前にPCFフレーム間間隔(PIFS)時間期間の間にアイドルであるかどうかに基づいて前記メッセージを送信するように構成される、請求項19に記載の装置。
【請求項２１】
送信するための前記手段は、送信を待っているデータの量がデータサイズしきい値未満である場合に、前記副チャネルのうち１つを利用しないように構成される、請求項19に記載の装置。
【請求項２２】
前記1つまたは複数の副チャネルは、2メガヘルツチャネル、4メガヘルツチャネル、および8メガヘルツチャネルを含む、請求項20に記載の装置。
【請求項２３】
判定するための前記手段は、
プリアンブルが第1の時間期間中に前記第1の主チャネルで検出されたかどうかを判定することと、
ガードインターバルが第2の時間期間中に前記第1の主チャネルで検出されたかどうかを判定することと、
前記プリアンブルおよび前記ガードインターバルの検出に少なくとも部分的に基づいて前記第1の主チャネルがアイドルであるかどうかを判定することと
によって前記第1の主チャネルがアイドルであるかどうかを判定するように構成される、請求項19に記載の装置。
【請求項２４】
前記ワイヤレスメッセージを送信するための前記手段は、前記第1のバックオフ手順が前記第2のバックオフ手順の前に完了する場合に、前記第1の主チャネルで前記ワイヤレスメッセージを送信するように構成される、請求項19に記載の装置。
【請求項２５】
前記ワイヤレスメッセージを送信するための前記手段は、前記第2のバックオフ手順が前記第1のバックオフ手順の前に完了する時に、前記第2の主チャネルで前記メッセージを送信するように構成される、請求項24に記載の装置。
【請求項２６】
前記第1のバックオフ手順と前記第2のバックオフ手順と実行するための前記手段は、
第1のプリアンブルが第1のしきい時間期間中に前記第2の主チャネルで検出されたかどうかを判定することと、
第2のプリアンブルが第2のしきい時間期間中に前記第1の主チャネルで検出されたかどうかを判定することと、
ガードインターバルが第3のしきい時間期間中に前記第2の主チャネルで検出されたかどうかを判定することと、
前記第1のプリアンブル、前記第2のプリアンブル、および前記ガードインターバルの検出に少なくとも部分的に基づいて、前記第2の主チャネルがアイドルであるかどうかを判定することと
によって、前記第2の主チャネルがアイドルであるかどうかを判定するように構成される、請求項19に記載の装置。
【請求項２７】
実行された時に、1つまたは複数のハードウェアプロセッサに、第1の周波数スペクトルを有する第1の主チャネルと第2の周波数スペクトルを有する第2の主チャネルとを含むワイヤレス通信システムにおける方法であって、前記第2の周波数スペクトルは、前記第1の周波数スペクトルを含み、前記方法は、
第1のバックオフ手順と第2のバックオフ手順とを少なくとも部分的に並列に実行するステップであって、前記第1のバックオフ手順と前記第2のバックオフ手順の各々は、前記第1の主チャネルまたは前記第2の主チャネルがそれぞれアイドルである個々の時間期間にわたって別々のカウンタを条件的に更新し、前記第1の主チャネルまたは前記第2の主チャネルがそれぞれビジーである個々の時間期間にわたって前記別々のカウンタを条件的にリセットし、前記第1のバックオフ手順と前記第2のバックオフ手順はそれぞれ、それぞれのカウンタがそれぞれの所定のしきい値に達したときに完了し、前記第1の主チャネルがアイドルでないとき、前記第2の主チャネルはアイドルでない、ステップと、
前記第1のバックオフ手順が前記第2のバックオフ手順の前に完了したことに応答して、ワイヤレスメッセージを前記第1の主チャネルで送信するステップと、
前記第2のバックオフ手順が前記第1のバックオフ手順の前に完了したことに応答して、前記ワイヤレスメッセージを前記第2の主チャネルで送信するステップと、
を含む方法を実行させる命令を含むコンピュータ可読記憶媒体。
【請求項２８】
プリアンブルが前記第1の主チャネルで検出された場合に、前記第2のバックオフ手順は、前記第2の主チャネルがアイドルでないと判定する、請求項1に記載の方法。